(57)【特許請求の範囲】
【請求項１】
撮影機構が組み付けられるとともに、写真フイルムを内蔵する本体基部と、前記本体基部を前後から覆うように被せられる前カバーおよび後カバーとからなり、少なくとも前記前カバーおよび後カバーがポリスチレン樹脂の成形品からなるユニット本体に、前記前カバーと後カバーとの組付境界線の一部を横切るように帯状のラベルを巻き付けたレンズ付きフイルムユニットにおいて、
前記ラベルは、厚さが６０μｍ以下、引っ張り強度が７×１０3 N/m 以上、曲げモーメントが３×１０-4 N・m 以下のポリプロピレンフイルムからなり、かつ前記ポリプロピレンフイルムの総量が、前記前カバーおよび後カバーの成形に要するポリスチレン樹脂の総量に対して１．５％以下であることを特徴とするレンズ付きフイルムユニット。
【請求項２】
撮影機構が組み付けられるとともに、写真フイルムを内蔵する本体基部と、前記本体基部を前後から覆うように被せられる前カバーおよび後カバーとからなり、少なくとも前記前カバーおよび後カバーがポリスチレン樹脂の成形品からなるユニット本体に、前記前カバーと後カバーとの組付境界線の一部を横切るように帯状のラベルを巻き付けたレンズ付きフイルムユニットにおいて、
前記ラベルは、厚さが６０μｍ以下のポリプロピレンフイルムと、ポリスチレンフイルムとを積層してなるとともに、引っ張り強度が７×１０3 N/m 以上、曲げモーメントが３×１０-4 N・m 以下のラミネートフイルムにより作製され、かつ前記ポリプロピレンフイルムの総量が、前記前カバーおよび後カバーの成形に要するポリスチレン樹脂の総量に対して１．５％以下であることを特徴とするレンズ付きフイルムユニット。
【請求項３】
前記ラベルは、アクリル系またはゴム系の粘着剤により前記ユニット本体に接着されていることを特徴とする請求項１または２記載のレンズ付きフイルムユニット。
【発明の詳細な説明】
【０００１】
【発明の属する技術分野】
本発明は、ユニット本体の外周面に帯状のラベルを巻き付けたレンズ付きフイルムユニットに関し、さらに詳しくはラベルの素材に関するものである。
【０００２】
【従来の技術】
低価格で手軽に撮影を楽しむことができるように、レンズ付きフイルムユニットが販売されている。レンズ付きフイルムユニットは、簡単な撮影機構を組み込んだユニット本体に未露光の写真フイルムを内蔵させ、その表面を外装体で覆ったもので、購入したその場ですぐに写真撮影ができ、また撮影後にもそのまま現像取扱い店に出せばよいという簡便性から一般に広く利用されている。
【０００３】
ユニット本体は、基本的には、撮影機構が組み付けられるとともに、写真フイルムを収納する本体基部と、この本体基部を覆うカバー部材とから構成される。カバー部材は前カバーと後カバーとからなり、本体基部に前後から被せられる。本体基部およびカバー部材は樹脂の成形品からなり、これらの成形材料として、一般にポリスチレン（ＰＳ）樹脂が用いられている。また、ユニット本体を覆う外装体としては、表面に化粧用の印刷が施された紙箱が用いられている。
【０００４】
最近では、紙箱に代えて帯状のラベルを外装体として用いたレンズ付きフイルムユニットがある。このレンズ付きフイルムユニットは、ユニット本体の外周面に帯状のラベルを巻き付けて糊付けし、ユニット本体の両側部は露呈したままにするもので、ユニット本体の全面を紙箱で覆うものに比較して外形の小型イメージを高めることができるとともに、組み立てが簡便化されるという利点がある。また、ラベルをユニット本体に巻き付けることで、前カバーと後カバーとの係合強度が強固になる。このようなラベルは合成紙からなり、従来より「ユポ」（商品名；王子油化製）が作製材料として用いられている。
【０００５】
一方、資源節約を図るとともに、産業廃棄物を減らすために、レンズ付きフイルムユニットのリサイクルが積極的に進められている。ユーザーが撮影済みの写真フイルムを収納したレンズ付きフイルムツニットを現像取扱い店に持っていくと、このレンズ付きフイルムユニットは更に現像所に集められ、ここで写真フイルムが取り出されてフイルム現像およびプリント処理が行われる。写真フイルムが取り出された後のレンズ付きフイルムユニットはメーカーによって回収され、ユニット本体が部品ごとに分解される。そして、部品として再使用可能なものはそのまま製造工程に供給され、使用できないものは原材料としての利用が図られている。ユニット本体の外形を構成するカバー部材やラベルは、再溶融されてペレット化される。
【０００６】
【発明が解決しようとする課題】
ところが、ＰＳ樹脂とユポとは相溶性が低いので、例えばカバー部材とラベルとを同時に溶融してペレット化すると、全溶融量中に占めるユポの割合が数％以上となったときにＰＳ樹脂の物性が変化してしまい、これをカバー部材の成形材料として再利用することができなくなる。このため、レンズ付きフイルムユニットのリサイクル工程では、ユニット本体からラベルを引き剥がし、カバー部材とラベルとを別々の工程で溶融しなくてはならないので、効率的ではない。
【０００７】
このような問題を解決するために、カバー部材の成形材料と同じＰＳフイルムをラベルの作製材料として用い、カバー部材とラベルとを同時に溶融してペレット化することが考えられる。ところが、ＰＳフイルムは、従来よりラベルの作製材料として用いているユポに比較して引っ張り強度が劣り、これを用いて作製されたラベルは、万が一レンズ付きフイルムユニットを落下させてしまった際に、衝撃によって破断されやすい。引っ張り強度を確保するためにフイルム厚みを増加させると、フイルムの柔軟性が損なわれ、これを用いて作製したラベルは、ユニット本体の湾曲部を覆う部位で浮き上がりを生じやすくなる。
【０００８】
本発明は上記の事情を考慮してなされたもので、ラベルの強度を低下させることなく、リサイクル性の向上を図ったレンズ付きフイルムユニットを提供することを目的とする。
【０００９】
【課題を解決するための手段】
上記目的を達成するために、本発明のレンズ付きフイルムユニットは、ラベルの作製材料として、厚さが６０μｍ以下、引っ張り強度が７×１０3 N/m 以上、曲げモーメントが３×１０-4 N・m 以下のポリプロピレンフイルムを用い、かつポリプロピレンフイルムの総量が、前カバーおよび後カバーの成形に要するポリスチレン樹脂の総量に対して１．５％以下となるようにするものである。また、厚さが６０μｍ以下のポリプロピレンフイルムとポリスチレンフイルムとを積層してなるとともに、引っ張り強度が７×１０3 N/m 以上、曲げモーメントが３×１０-4 N・m 以下のラミネートフイルムをラベルの作製材料として用い、かつポリプロピレンフイルムの総量が、前カバーおよび後カバーの成形に要するポリスチレン樹脂の総量に対して１．５％以下となるようにしてもよい。いずれの場合においても、ラベルの接着には、アクリル系またはゴム系の粘着剤を用いるのがよい。
【００１０】
【作用】
本発明では、ラベルの作製材料として強度の高いポリプロピレンフイルムを用い、その引っ張り強度を７×１０3 N/m 以上とすることで、ユニット本体に巻き付けて用いたときの落下衝撃に対する強度を向上させるものである。また、ラベルの作製材料の曲げモーメントを３×１０-4 N・m 以下にすることで、ラベルの柔軟性が保持され、ユニット本体の湾曲部を覆う部位での浮き上がりや剥がれを防止することができる。
【００１１】
また、ラベルの作製材料中のポリプロピレンフイルムの総量が、前カバーおよび後カバーの成形に要するポリスチレン樹脂の総量に対して１．５％以下となるようにすることで、ラベルと前カバーおよび後カバーとを同時に溶融した際に、得られるリサイクルポリスチレン樹脂の物性の変化が抑えられ、これを用いて再び前カバーおよび後カバーを成形することが可能となる。さらに、ラベルの接着にアクリル系またはゴム系の粘着剤を用いることで、この接着剤がリサイクルポリスチレン樹脂の物性に影響を与えることが抑えられる。
【００１２】
【発明の実施の形態】
図３は、レンズ付きフイルムユニットの外観を示すものである。レンズ付きフイルムユニット１０は、ユニット本体１１の中央部に外装用のラベル３０を巻き付けて構成される。ユニット本体１１は主にプラスチック成形され、前面に撮影レンズ１３およびファインダ対物窓１４が、また上面にはシャッタボタン１５，巻き上げノブ１６，フイルムカウンタ窓１７が、さらに背面にはファインダ接眼窓１８がそれぞれ設けられている。
【００１３】
ラベル３０は、レンズ付きフイルムユニット１０の外観を綺麗にするためのもので、表面に化粧用の印刷が施され、ユニット本体１１の外周面に接着される。ラベル３０の所要部には、ユニット本体１１に設けられた撮影レンズ１３，ファインダ対物窓１４，フイルムカウンタ窓１７，およびファインダ接眼窓１８を外部に露呈させるための開口が設けられており、ラベル３０をユニット本体１１に巻き付けたままの状態で撮影操作ができるようになっている。このラベル３０は、後述する樹脂製のフイルムシートに打ち抜き加工を施して作製される。
【００１４】
図４に示すように、ユニット本体１１は、本体基部２１と、この本体基部２１の前後を覆うように被せられる前カバー２２および後カバー２３とから構成されている。本体基部２１，前カバー２２，および後カバー２３は、それぞれポリスチレン（ＰＳ）樹脂により射出成形される。本体基部２１の両側部には、カートリッジ本体２４を収納するカートリッジ室２５と、未露光の写真フイルム２６をロール状にして収納するフイルムロール室２７とが一体に設けられており、これらの間には、写真フイルム２６への露光範囲を規定するためのアパーチャー２８が形成されている。カートリッジ室２５およびフイルムロール室２７の底部は開口となっており、後カバー２３の底面側に設けられたプルトップ式の底蓋２９ａ，２９ｂによってそれぞれ塞がれる。
【００１５】
カートリッジ室２５の上面には巻き上げノブ１６が取り付けられる。また、アパーチャー２８の前面には、シャッタベース３９ａに撮影レンズ１３や、ファインダ光学系，フイルム巻上げ機構，シャッタ機構などを一体に組み付けてユニット化した露光ユニット３９が取り付けられ、前カバー２２と後カバー２３とで挟持される。
【００１６】
図１は、ラベル３０を作製するためのフイルムシートの層構成を示すもので、同図において上側がレンズ付きフイルムユニット１０の表面側、下側がユニット本体１１と接する裏面側を表している。フイルムシート３１は、ラミネートフイルム３２の裏面側にアクリル系またはゴム系の粘着剤を塗布して粘着剤層３３を設け、セパレータ３４上に支持させた構成となっている。このフイルムシート３１を用いて作製されたラベル３０は、セパレータ３４が剥がされ、粘着剤層３３によってユニット本体１１の表面に接着される。
【００１７】
ラミネートフイルム３２は、厚さが６０μｍ以下のポリプロピレン（ＰＰ）フイルム３５とポリスチレン（ＰＳ）フイルム３６とを積層してなり、引っ張り強度が７×１０3 N/m 以上、曲げモーメントが３×１０-4 N・m 以下となるように構成されている。ＰＰフイルム３５の表面側には、化粧用の印刷を施してなる印刷層３７が、また裏面側には遮光性を得るためのアルミ蒸着層３８がそれぞれ形成される。また、ＰＳフイルム３６としては厚さが３０μｍ〜５０μｍ程度のものが用いられ、ラミネートフイルム３２全体での厚みが８０μｍ以下となっている。
【００１８】
このフイルムシート３１では、最表面側に印刷層３７が位置するように層構成されている。これにより、時間を要する印刷工程を最後に設置することが可能となり、フイルムシート３１の作製工程を効率的に構成することができる。
【００１９】
図２は、ラベル作製用フイルムシートの別の層構成を示すもので、図１に示したフイルムシート３１と同じ材料には、共通の符号を付してある。フイルムシート４１は、ラミネートフイルム４２の裏面側に粘着剤層３３を設け、セパレータ３４上に支持させた構成となっている。ラミネートフイルム４２は厚さが６０μｍ以下のＰＰフイルム４５とＰＳフイルム４６とを積層してなり、ＰＰフイルム４５の表面側にアルミ蒸着層４８と印刷層４７とが形成される。ラミネートフイルム４２は、引っ張り強度が７×１０3 N/m 以上、曲げモーメントが３×１０-4 N・m 以下となるように構成される。
【００２０】
このフイルムシート４１では、印刷層４７の表面側にＰＳフイルム４６が積層されるので、印刷層４７を保護することができるとともに、表面に光沢のあるフイルムシート４１を作製することができる。なお、上記フイルムシート４１では最表面側にＰＳフイルム４６が位置するように構成されているが、ＰＰフイルム４５を最表面側に積層してもよい。また印刷層４７は、フイルムシート４１の最表面に位置するＰＳフイルム４６またはＰＰフイルム４５の裏面に形成するようにしてもよい。
【００２１】
なお、ラベル３０の作製材料としては、ＰＰフイルムとＰＳフイルムとのラミネートフイルムに限られるものではなく、ＰＰフイルムのみからなるフイルムシートでもよい。この場合、ＰＰフイルムの表面側にアルミ蒸着層と印刷層とを形成し、裏面側に粘着剤層を設ければよい。またＰＰフイルムとしては、厚さが６０μｍ以下、引っ張り強度が７×１０3 N/m 以上、曲げモーメントが３×１０-4 N・m 以下のものを用いるのがよい。
【００２２】
上記構成のレンズ付きフイルムユニット１０を用いて撮影を行った後に、使用済みのレンズ付きフイルムユニット１０を現像取扱い店に持っていきＤＰＥを依頼すると、このレンズ付きフイルムユニット１０は更に現像所に集められる。現像所では、レンズ付きフイルムユニット１０の底部に設けられた底蓋２９ａを開放し、露光済みの写真フイルム２６を巻き込んだカートリッジ本体２４がユニット本体１１から取り出される。そして、写真フイルム２６のフイルム現像およびプリント処理が施され、現像済みのフイルムを巻き込んだカートリッジ本体２４とプリント写真とが現像取扱い店を介してユーザーに返却される。
【００２３】
一方、カートリッジ本体２４が取り出された後のレンズ付きフイルムユニット１０はメーカーによって回収され、再利用のための分解工程に回される。分解工程では、例えば前カバー２２と後カバー２３との組付境界線に沿ってラベル３０が切断され、このラベル３０が貼り付けられたままの状態で前カバー２２および後カバー２３が本体基部２１から取り外される。この後、本体基部２１から露光ユニット３９が取り外される。取り外された露光ユニット３９は、ユニット単位で機能検査および外観検査が行われ、再利用可能なものはレンズ付きフイルムユニットの組立工程に移送されてそのまま製品の一部として用いられる。
【００２４】
本体基部２１は、前カバー２２と後カバー２３とにより覆われていることから再使用できる可能性が高く、外観検査を施した後に再使用可能なものはそのままレンズ付きフイルムユニットの組立工程に供給される。また、使用不可能なものは前カバー２２および後カバー２３とともに溶融工程に送られ、一度樹脂ペレットに戻された後に、成形材料として用いられる。この際、前カバー２２および後カバー２３は、表面にラベル３０が貼り付けられたままの状態で溶融される。
【００２５】
【実施例】
ＰＰフイルムおよびＰＳフイルムの厚さが異なる５種類のラベルサンプル品Ｓ１〜Ｓ５を作製し、各々の引っ張り強度値および曲げモーメントを測定した。なお、ラベルサンプル品Ｓ１は、ＰＰフイルムのみから構成されるフイルムシートを用いて作製し、ラベルサンプル品Ｓ２〜Ｓ５は、図１に示した層構成のフイルムシートを用いて作製した。また、ＰＰフイルムの厚さを１５μｍ〜４０μｍの範囲内、ＰＳフイルムの厚さを３０μｍ〜５０μｍの範囲内とし、粘着剤層の形成にはアクリル系の粘着剤を用いた。また比較のために、ユポからなる従来サンプル品ＳＳについても引っ張り強度値および曲げモーメントを測定した。結果をまとめて表１に示す。
【００２６】
【表１】
0003685474.tif 000002
【００２７】
次に、上記ラベルサンプル品Ｓ１〜Ｓ５および従来サンプル品ＳＳのそれぞれについて、レンズ付きフイルムユニット用のラベルとしての適否を評価した。評価は、各サンプル品Ｓ１〜Ｓ５，ＳＳをユニット本体に巻き付けた状態で行い、ラベルの浮き又は剥がれの有無と、落下衝撃によるラベルの破損の有無とを確認した。なお、ラベルの浮き又は剥がれの有無は、各サンプル品Ｓ１〜Ｓ５，ＳＳをユニット本体に巻き付けてから１日経過した後に、６５℃の温度下に３日間放置してから確認した。また、落下衝撃によるラベルの破損の有無は、各サンプル品Ｓ１〜Ｓ５，ＳＳを巻き付けたユニット本体を、１ｍの高さから自然落下させた後に確認した。結果をまとめて表２に示す。
【００２８】
【表２】
0003685474.tif 000003
【００２９】
表１および表２の結果より、曲げモーメントが３．６×10-4 N・m の従来サンプル品ＳＳでは、６５℃の環境下に３日間放置されるとラベルの浮きや剥がれが生じるのに対し、曲げモーメントが２．５×10-4 N・m 以下に構成されたラベルサンプル品Ｓ１〜Ｓ５の全てにおいて、ラベルの浮きや剥がれの発生は認められなかった。これにより、曲げモーメントを２．５×10-4× N・m 以下とすることで、ラベルの浮き又は剥がれの発生を確実に防止できることが確認された。
【００３０】
また、引っ張り強度が６．４×１０3 N/m のラベルサンプル品Ｓ５では、落下衝撃によってラベルが破損したのに対し、引っ張り強度が７×１０3 N/m 以上に構成されたラベルサンプル品Ｓ１〜Ｓ４および従来サンプル品ＳＳにおいては、落下衝撃によるラベルの破損は認められなかった。これにより、引っ張り強度を７×１０3 N/m 以上とすることで、落下時の衝撃によってラベルが破損することを防止できることが確認された。
【００３１】
次に、上記ラベルサンプル品Ｓ１〜Ｓ５および従来サンプル品ＳＳのそれぞれについて、ＰＳ樹脂との相溶性を確認した。ＰＳ樹脂との相溶性は、各サンプル品Ｓ１〜Ｓ５，ＳＳを前カバーおよび後カバーとともに溶融してペレット化し、得られたリサイクルＰＳ樹脂の物性の変化の有無により評価した。また、ラベルサンプル品Ｓ１〜Ｓ５のそれぞれについて全溶融樹脂中に占めるＰＰ樹脂の割合を求め、評価結果と併せて表３に示した。表中の評価記号○はリサイクルＰＳ樹脂の物性の変化なし、△は実用可能、×はリサイクルＰＳ樹脂の再利用不可を表す。
【００３２】
【表３】
0003685474.tif 000004
【００３３】
表３の結果から、ＰＰ樹脂は、全溶融樹脂中に占める割合が小さくなるほどリサイクルＰＳ樹脂に与える影響が小さくなることがわかる。そして、全溶融樹脂中に占める割合が０．８％以下であれば、リサイクルＰＳ樹脂の物性に全く影響を与えることなく、ＰＳ樹脂中に混練されることがわかった。
【００３４】
【発明の効果】
以上のように、本発明のレンズ付きフイルムユニットによれば、ラベルの作製材料として強度の高いポリプロピレンフイルムを用いるので、ラベルの引っ張り強度が向上し、落下衝撃が加わった際にもラベルが破損することが防止される。しかも、ポリプロピレンフイルムの総量が、ポリスチレン樹脂の総量に対して１．５％以下となるようにすることで、このポリプロピレンフイルムをポリスチレン樹脂とともに溶融したとしても、得られるリサイクルポリスチレン樹脂の物性の変化が実用上問題のない程度に抑えられる。これにより、前カバーおよび後カバーとラベルとを同時に溶融してペレット化することが可能となり、レンズ付きフイルムユニットのリサイクル工程からラベルの剥離工程を削減することができる。
【図面の簡単な説明】
【図１】本発明のラベル作製用フイルムシートの層構成を示す説明図である。
【図２】本発明のラベル作製用フイルムシートの別の層構成を示す説明図である。
【図３】レンズ付きフイルムユニットの外観斜視図である。
【図４】図３に示したユニット本体の分解斜視図である。
【符号の説明】
１０  レンズ付きフイルムユニット
１１  ユニット本体
２１  本体基部
２２  前カバー
２３  後カバー
３０  ラベル
３１，４１  フイルムシート
３２，４２  ラミネートフイルム
３３  粘着剤層
３５，４５  ポリプロピレンフイルム
３６，４６  ポリスチレンフイルム
３７，４７  印刷層
３８，４８  アルミ蒸着層
【図１】
0003685474.tif 000005
【図２】
0003685474.tif 000006
【図３】
0003685474.tif 000007
【図４】
0003685474.tif 000008